(57)【要約】【課題】  製造が容易でかつ名前の設定や変更も容易に行い得る装飾性に優れた表札を提供する。【解決手段】  左右方向の貫孔１を上下に有する文字体２と、複数の文字体２の貫孔１を串挿状に挿通すると共に平行に延びる上下一対の細横杆３, ３と、細横杆３, ３の両端を保持する挿入孔４, ４を有する左右一対の保持具５, ５と、を備える。また、細横杆３, ３に外嵌されて文字体２の左右方向のがたつきを抑制するＯリング６を備える。【選択図】  図２
2005274710.tif 000002
【特許請求の範囲】
【請求項１】
左右方向の貫孔（１）を上下に有する文字体（２）と、複数の該文字体（２）の該貫孔（１）を串挿状に挿通すると共に平行に延びる上下一対の細横杆（３)(３）と、該細横杆（３)(３）の両端を保持する挿入孔（４)(４）を有する左右一対の保持具（５)(５）と、を備えたことを特徴とする表札。
【請求項２】
上記細横杆（３)(３）に外嵌されて上記文字体（２）の左右方向のがたつきを抑制するＯリング（６）を備えた請求項１記載の表札。
【発明の詳細な説明】
【技術分野】
【０００１】
本発明は、表札に関する。
【背景技術】
【０００２】
従来、家の門やペット小屋等に使用される表札には、木、石、金属等の単一プレートに名前を印刷したり彫刻したりすることによって形成されたものが知られている。これらの表札は種々の名前に対応するため、オーダーメイドにて製造される。そのため、従来のオーダーメイドにて製造される単一プレートの表札では、予め決まっている書体にて表札を製造する場合と比較して、表札の製造コストが増大するという問題点があった。そして、このような単一プレートの表札に、装飾を施した表札を製造しようとすると、さらに製造コストが増大するという問題点があった。
そこで、従来、装飾性に優れ、かつ、安価に製造し得る種々の表札が提案されている（例えば、特許文献１参照）。
特許文献１では、陶磁器製の基台に、名前等の文字を形成した合成樹脂製の表示板を接着により取り付けた表札が開示されている。この特許文献１の表札は、装飾性に優れた陶磁器製の基台と加工性に優れた合成樹脂製の表示板とを組み合わせることによって、従来の単一のプレートによる表札と比較して装飾性の向上と製造コストの削減との両立を図っている。
【特許文献１】実開平７−２３３６９号公報
【発明の開示】
【発明が解決しようとする課題】
【０００３】
しかしながら、上記特許文献１に開示された表札に於て名前等の文字を印刷や彫刻にて形成する場合、合成樹脂製の表示板は、依然としてオーダメイドにて製造される。これにより、予め決まっている書体にて表示板を製造する場合と比較して、製造装置の設定変更等を行う必要があり、製造コストが増大する要因となる。また、合成樹脂製の表示板をオーダメイドにて製造するので、納期の短縮化が容易ではないという問題点があった。
また、家族が増えたり新しいペットを飼う等によって表示板の名前を変更する場合には、表示板ごと新たなものに取り替えなければならないという問題点があった。この際、表示板は、接着により基台に取り付けられているので、表示板の変更（名前の変更）作業が煩雑になるという問題点があった。
そこで、本発明は、製造が容易でかつ名前の設定や変更も容易に行い得る装飾性に優れた表札を提供することを目的とする。
【課題を解決するための手段】
【０００４】
上記の目的を達成するために、本発明に係る表札は、左右方向の貫孔を上下に有する文字体と、複数の該文字体の該貫孔を串挿状に挿通すると共に平行に延びる上下一対の細横杆と、該細横杆の両端を保持する挿入孔を有する左右一対の保持具と、を備えたものである。
【０００５】
また、上記細横杆に外嵌されて上記文字体の左右方向のがたつきを抑制するＯリングを備えたものである。
【発明の効果】
【０００６】
本発明に係る表札によれば、種々の名前に対応して、容易に表札を製造することができる。その結果、納期を短縮することができる。
また、文字体の組合せや交換が容易に行えるので、家族が増えたり新しいペットを飼う等によって表札の名前を変更する場合に、容易に対応することができると共に、その変更作業が煩雑となることもない。  
また、文字体が変更可能な表札の構造を簡素化することができる。
また、隣り合う文字体の左右間隔を容易に調節することができ、容易に名前の長短に対応することができる。
また、Ｏリングにより、表札の文字体に少量の外力が働いても、隣り合う文字体の間隔を一定に維持することができる。
【発明を実施するための最良の形態】
【０００７】
以下、実施の形態を示す図面に基づき、本発明を詳説する。
図１〜図３は、本発明の実施の一形態を示し、図１は正面図、図２は分解斜視図、図３は要部拡大背面図である。
本発明に係る表札は、文字体２と、平行に延びる上下一対の細横杆３, ３と、左右一対の保持具５, ５と、を備えている。
【０００８】
文字体２は、金属製であり、例えば鋳造にて一体的に形成されている。文字体２は、装飾性に優れた表示部８と、表示部８の裏面８ａの上下に所定の間隔を隔てて、裏面８ａから突出状に形成された一対の突出片部９, ９と、を有している。
図１〜図３に於て、表示部８の形状は、アルファベットから成っている場合を例示する。なお、平仮名、片仮名、数字等の文字形状とすることも自由である。ここで、表示部８の厚みｔは、３mm以上に形成されるのが好ましく、例えば、３mm以上６mm以下に形成されている。ｔが３mm未満の場合には、文字体２の立体感が低減し、装飾性に乏しくなる。
また、一対の突出片部９, ９の各々には、左右方向の貫孔１が形成されている。この貫孔１の内径は、一対の細横杆３, ３の直径Ｄよりも僅かに大きく形成されている。
【０００９】
なお、文字体２は、金属製に限るものではなく、プラスチック、陶磁器、石、木等の種々の材料により形成するも自由である。  
また、文字体２は、一体的に形成するものに限らず、複数の部材を組み合わせて形成するも自由である。例えば、図５に示すように、割体10と割体11により形成されるプラスチック製の文字体２とするも好ましい。つまり、貫孔１を形成するための凹溝15を合せ面16に形成した割体10と割体11とを、合せ面16, 16相互を接着剤等で合体し一体化して構成する。
また、文字体２を、蓄光機能が付加されたものとするも自由である。
【００１０】
また、図２と図３に於て、貫孔１を有する突出片部９は、上下一対配設されたものに限るのではなく、左右方向に貫孔１の中心軸線が一致するように、上下のいずれかに、又は、上下夫々に２つ以上設けるも好ましい。貫孔１を有する突出片部９を上下合わせて３つ以上設ける場合、より文字体２を安定させることができる。
また、貫孔１は、図２及び図３に示すような文字体２の突出片部９, ９に設けるものに限るものではなく、他の場所に設けるも自由である。例えば、図４に示すように、文字体２に貫孔１を有する突出片部９を設けることなく、表示部８の厚みを大きくして、表示部８に直接貫孔１を設けるも好ましい。
【００１１】
一対の細横杆３, ３は、例えばステンレス等の金属製の棒状に形成されている。そして、例えば、直径Ｄが３mm〜４mmの丸棒（断面円形に）形成される。Ｄが３mm未満の場合には、複数の文字体２…の重量を支えるための強度が不足する虞れがある。また、Ｄが４mmを超えると、後述するように、細横杆３, ３の長さを切断により短くして、隣り合う文字体２の左右間隔を調節したり、文字数に対応することが困難となる。  
なお、この細横杆３, ３の断面形状は、円形に限るものでなく、他の形状とするも自由である。例えば、矩形状、楕円状とするも好ましい。また、細横杆３, ３は、金属製の芯材に樹脂等にて被膜を行ったものとするも好ましい。
一対の細横杆３, ３には、複数の上記文字体２が、文字体２の上下の貫孔１, １を利用して外嵌されている。より具体的に述べると、上側の細横杆３には、文字体２の上側の貫孔１が対応し、下側の細横杆３には、文字体２の下側の貫孔１が対応するように、複数の文字体２…に細横杆３, ３が串挿状に挿通されている。
また、細横杆３, ３には、図３に示すように、文字体２の突出片部９の左右両側に密着するように、Ｏリング６が密嵌状に外嵌されている。このＯリング６は、細横杆３の外径よりも僅かに小さな内径寸法のものを使用して、細横杆３に密嵌して容易には長手方向へスライドしないように外嵌保持され、文字体２の左右方向のがたつきを抑制する。
【００１２】
一対の保持具５, ５は、上下一対の細横杆３, ３の左右両端を保持するように、細横杆３, ３の左右両側に配設されている。これら一対の保持具５, ５は金属製であり、例えば鋳造にて一体的に形成されている。また、保持具５, ５は装飾性の高い形状に形成されている。
具体的には、一対の保持具５, ５の各々は、本体部12と本体部12から上下方向に突出する取付板部13, 13とを有している。本体部12の一対の保持具５, ５が対向する側の面には、細横杆３, ３の端部を保持するための上下一対の挿入孔４, ４が形成されている。
なお、一対の保持具５, ５は、各々、三叉状の装飾を有する場合を例示したが、この保持具５の本体部12の装飾は、種々設計変更自由である。
また、保持具５, ５は、金属製に限るものではなく、プラスチック、陶磁器、石、木等の種々の材料により形成するも自由である。
【００１３】
また、取付板部13, 13は、各々取付孔７を有している。この取付孔７, ７を介して、ボルト、ネジ等の固着具を門柱の表面や、門柱に設けられた凹部、家の玄関、店の出入口、ペット小屋の出入口上部等の取付面にねじ止め等することによって、表札が取付面に取付けられる。
【００１４】
次に、図２を参照して、本発明の実施の一形態に係る表札の組立方法について説明する。
まず、細横杆３, ３の長さを、適宣ペンチ等により切断することによって、調整する。次に、一対の保持具５, ５のうち、一方の保持具５の上下一対の挿入孔４, ４に、夫々、細横杆３の一方の端部を嵌合させる。
次に、複数の種類の文字体２…から名前を構成するのに必要な文字を選び、選んだ文字体２…に順次、細横杆３, ３を挿通していく。この際、上側の細横杆３には文字体２の上側の突出片部９の貫孔１を、下側の細横杆３には文字体２の下側の突出片部９の貫孔１を対応させて挿通する。また、この際、突出片部９の左右両側に配設されるように、Ｏリング６…を細横杆３に順次外嵌していく。
全ての文字体２…及びＯリング６…を細横杆３, ３に外嵌した後、細横杆３, ３の他方の端部に、他方の保持具５の挿入孔４, ４を嵌合させる。そして、隣り合う文字体２, ２の左右間隔を整えて、Ｏリング６…を各々の突出片部９の左右両側に密着させ、複数の文字体２…を正確に位置決めする。これにより、表札の組立が完了する。
表札の取付面への取付けは、保持具５の取付孔７にボルト、ネジ等の固着具を挿入して行う。
【００１５】
上記のようにして取付面に取付けられた表札に於て、名前の変更を行う場合には、取付面から表札を取外し、保持具５を細横杆３, ３から分離させる。そして、細横杆３, ３に外嵌された複数の文字体２…のうち不必要なものを取外し、必要なものとの交換を行う。この際、変更した名前が元の名前よりも短く、隣り合う文字体２, ２の左右間隔が過度に増大する場合には、細横杆３, ３の長さを切断により短くして調節する。そして、文字体２…の交換が終了すると、細横杆３, ３と細横杆３, ３から分離させた保持具５とを再度接続し、取付面に表札を再度取付けることにより、名前の変更が完了となる。
【００１６】
以上のように、本発明に係る表札は、左右方向の貫孔１を上下に有する文字体２と、複数の文字体２…の貫孔１を串挿状に挿通すると共に平行に延びる上下一対の細横杆３, ３と、細横杆３, ３の両端を保持する挿入孔４, ４を有する左右一対の保持具５, ５と、を備えるので、複数の文字体２…を組合わせることにより、容易に種々の名前を構成することができる。これにより、種々の名前に対応して、容易に表札を製造することができる。その結果、納期を短縮することができる。
【００１７】
また、文字体２…に、細横杆３, ３を串挿状に挿通するように構成することによって、複数の文字体２…を、容易に変更可能とすることができる。このように、装飾性に優れた文字体２…が変更可能でありながら、表札の構造を簡素化することができる。
また、文字体２の組合せや交換が容易に行えるので、家族が増えたり新しいペットを飼う等によって表札の名前を変更する場合に、容易に対応することができると共に、その変更作業が煩雑となることもない。
【００１８】
また、表札の名前を変更する場合に、表札全てを新しいものに交換するのではなく、大きな容積を占めると共に装飾性の高い保持具５, ５はそのままに文字体２のみを交換可能とすることができる。これにより、名前の変更の際に必要なコストを削減することができる。また、表札の名前を変更する場合、大きな容積を占めると共に装飾性の高い保持具５, ５はそのままであるので、名前の変更により表札全体の印象が変化することもない。
また、１つの文字体２を、アルファベット、片仮名等の１つの文字に対応させて、予め複数の種類の文字体２…を製造すれば、個々の文字体２を組み合せることよって、製造した複数の種類の文字体２…よりもはるかに多くの種類の名前を構成することができる。これにより、印刷や彫刻にて名前が形成されると共にオーダメイドにより製造される従来の表札と比較して、製造コストを削減することができる。
【００１９】
また、複数の文字体２…の貫孔１に細横杆３, ３を串挿状に挿通して保持するので、細横杆３, ３の長さを選択して、隣り合う文字体２, ２の左右間隔を調節したり、名前の長短（即ち、文字数の増減）に対応することができる。また、変更する名前が元の名前よりも短くなったり長くなったりする場合には、細横杆３, ３を切断したり、隣り合う文字体２, ２の左右間隔を調節したりすることによって、容易に対応できる。                  また、細横杆３, ３に外嵌されて文字体２の左右方向のがたつきを抑制するＯリング６…を備えることによって、表札の文字体２…に少量の外力が働いても、隣り合う文字体２, ２の間隔を一定に維持することができて、位置ずれせず、また、文字が常に正面を向く。
【図面の簡単な説明】
【００２０】
【図１】本発明の一実施形態を示す表札を示す正面図である。
【図２】表札の構造を説明するための分解斜視図である。
【図３】文字体の一部破断拡大背面図である。
【図４】文字体の他の実施の形態を示す斜視図である。
【図５】文字体のさらに他の実施の形態を示す斜視図である。
【符号の説明】
【００２１】
１  貫孔
２  文字体
３  細横杆
４  挿入孔
５  保持具  
６  Ｏリング
【図１】
2005274710.tif 000003
【図２】
2005274710.tif 000004
【図３】
2005274710.tif 000005
【図４】
2005274710.tif 000006
【図５】
2005274710.tif 000007